(57)【特許請求の範囲】
【請求項１】
医療機器から画像データを取り込むクライアントコンピュータと、当該クライアントコンピュータとネットワークを介して接続された読影センターとから構成された医療画像読影システムにおいて、
上記クライアントコンピュータは医療機器から複数のＤＩＣＯＭ画像データを画像データセットとして取り込んで各画像データに共通する数字列と各画像データ毎の連続番号からなる検査インスタンスＵＩＤタグを上記複数のＤＩＣＯＭ画像データ各々に付与して記憶すると共に、該画像データの取り込みを検出し、これらＤＩＣＯＭ画像データに付与されている上記検査インスタンスＵＩＤタグの内、何れか一の検査インスタンスＵＩＤタグを画像データ識別タグとして抽出して、当該タグを付加した読影依頼データを作成し記憶する機能、及び上記画像データセットの上記読影センターへの送信機能、上記読影依頼データの上記読影センターへの送信機能を有するものであり、
上記読影センターは、上記クライアントコンピュータからの上記ＤＩＣＯＭ画像データを格納する画像格納サーバ、上記検査インスタンスＵＩＤタグに基づいて上記画像格納サーバからＤＩＣＯＭ画像データを読み出して読影に供する画像をディスプレイ上に表示し得る画像表示コンピュータからなるＤＩＣＯＭ画像系システムと、
上記読影依頼データ及び読影結果ファイルの格納を行う業務用サーバ、音声入力装置を具備するものであって上記画像表示コンピュータに対して上記検査インスタンスＵＩＤタグに基づいて特定の読影依頼データに対応するＤＩＣＯＭ画像データの表示指令を行うと共に、該読影依頼データの検査インスタンスＵＩＤタグをファイル名とする口述音声ファイルを読影結果ファイルとして作成して該ファイルを上記業務用サーバに格納する業務用コンピュータと、上記読影結果ファイルに基づいて報告書を作成する報告書作成コンピュータからなる業務系システムにより構成されたものであり、
上記画像表示コンピュータはディスプレイ上に表示されている読影画像の内、上記業務用コンピュータからの特定画像の抽出指令に基づいて当該読影画像をキー画像データとして抽出し、当該キー画像データに上記読影画像に対応する読影依頼データの検査インスタンスＵＩＤタグ及び画像識別番号からなるファイル名を付与して業務用サーバに転送するものであり、
上記業務用サーバは上記キー画像データを格納するものであることを特徴とする医療画像読影システム。
【請求項２】
上記報告書用コンピュータに音声再生装置を設けると共に上記業務用サーバから上記口述音声ファイルを受信可能に構成し、上記報告書用コンピュータは、当該音声再生装置により再生される上記口述音声ファイルの音声を当該コンピュータからキー入力することにより上記報告書ファイルを作成し、該報告書ファイルに上記読影依頼データと同一の検査インスタンスＵＩＤタグを付加するものであることを特徴とする請求項１に記載の医療画像読影システム。
【請求項３】
上記画像表示コンピュータと業務用コンピュータからなる読影ブースをサテライト読影ブースとして複数の地域に設置し、各サテライト読影ブースと上記読影センターとを接続し、かつ上記読影センターから画像データを特定のサテライト読影ブースに送信可能に構成すると共に、各サテライト読影ブースから上記読影センターの業務用サーバに対して読影結果ファイルを送信可能としたものであることを特徴とする請求項１に記載の医療画像読影システム。
【請求項４】
上記クライアントコンピュータと読影センターとをインターネットに接続し、上記クライアントコンピュータから該インターネットを介して上記読影センター内の読影結果ファイルを閲覧可能に構成したものであることを特徴とする請求項１又は３記載の医療画像読影システム。
【発明の詳細な説明】
【０００１】
【発明の属する技術分野】
本発明は、遠隔地病院等にて撮影された医療画像データを読影センターに送信し、該センターにて専門医が読影を行う医療画像読影システムに関するものである。
【０００２】
【従来の技術】
現在、遠隔地病院においてＣＴ等により撮影した医療画像をネットワークを介して読影専門医の存在する病院等に送信し、当該病院等にて単一のコンピュータで当該画像データの受信及び表示等を行い、当該コンピュータにて読影専門医が送信された画像の読影を行い、その読影結果を上記遠隔地病院に返信するという医療画像の読影システムが存在する。
【０００３】
【発明が解決しようとする課題】
ところで、上記従来のシステムは、当該システムの開発メーカ独自の規格でシステム全体が開発されている場合が多く、システムとしての汎用性が低いという問題がある。
【０００４】
また、医療画像の統一規格としてのＤＩＣＯＭ規格の画像データを利用するシステムも存在するが、いわゆるＤＩＣＯＭ規格の画像データを使用するだけで、システム全体としては開発メーカ独自のシステムであり、依然として汎用性が低いという問題がある。
【０００５】
また、画像データの受信、画像データの表示、及び各種読影に関する業務を単一のコンピュータで行うと、当該コンピュータの業務負担が大きく、またシステムの発展性が低いという問題もある。
【０００６】
本発明は、上記従来の問題点に鑑みて為されたものであり、例えばＤＩＣＯＭ規格を利用した画像系システムと読影依頼業務等の業務系システムとを分離してシステムを構成することで、汎用性、拡張性の高い医療画像読影システムを提供することを目的とする。
【０００７】
また、本発明は、サテライト読影ブースを各地域に設置することにより、地域医療読影ネットワークを構築し得る医療画像読影システムを提供することを目的とする。
【０００８】
【課題を解決するための手段】
上記目的を達成するために本発明は、医療機器から画像データを取り込むクライアントコンピュータと、当該クライアントコンピュータとネットワークを介して接続された読影センターとから構成された医療画像読影システムにおいて、上記クライアントコンピュータは医療機器から複数のＤＩＣＯＭ画像データを画像データセットとして取り込んで各画像データに共通する数字列と各画像データ毎の連続番号からなる検査インスタンスＵＩＤタグを上記複数のＤＩＣＯＭ画像データ各々に付与して記憶すると共に、該画像データの取り込みを検出し、これらＤＩＣＯＭ画像データに付与されている上記検査インスタンスＵＩＤタグの内、何れか一の検査インスタンスＵＩＤタグを画像データ識別タグとして抽出して、当該タグを付加した読影依頼データを作成し記憶する機能、及び上記画像データセットの上記読影センターへの送信機能、上記読影依頼データの上記読影センターへの送信機能を有するものであり、上記読影センターは、上記クライアントコンピュータからの上記ＤＩＣＯＭ画像データを格納する画像格納サーバ、上記検査インスタンスＵＩＤタグに基づいて上記画像格納サーバからＤＩＣＯＭ画像データを読み出して読影に供する画像をディスプレイ上に表示し得る画像表示コンピュータからなるＤＩＣＯＭ画像系システムと、上記読影依頼データ及び読影結果ファイルの格納を行う業務用サーバ、音声入力装置を具備するものであって上記画像表示コンピュータに対して上記検査インスタンスＵＩＤタグに基づいて特定の読影依頼データに対応するＤＩＣＯＭ画像データの表示指令を行うと共に、該読影依頼データの検査インスタンスＵＩＤタグをファイル名とする口述音声ファイルを読影結果ファイルとして作成して該ファイルを上記業務用サーバに格納する業務用コンピュータと、上記読影結果ファイルに基づいて報告書を作成する報告書作成コンピュータからなる業務系システムにより構成されたものであり、上記画像表示コンピュータはディスプレイ上に表示されている読影画像の内、上記業務用コンピュータからの特定画像の抽出指令に基づいて当該読影画像をキー画像データとして抽出し、当該キー画像データに上記読影画像に対応する読影依頼データの検査インスタンスＵＩＤタグ及び画像識別番号からなるファイル名を付与して業務用サーバに転送するものであり、上記業務用サーバは上記キー画像データを格納するものであることを特徴とする医療画像読影システムにより構成されるものである。
【０００９】
上記画像データは例えばＤＩＣＯＭ規格による画像データであることが好ましい。上記クライアントコンピュータは例えば遠隔地における契約病院に設置されたクライアントパソコン等であることが好ましい。上記画像格納サーバは例えばＤＩＣＯＭ規格の画像データをＤＩＣＯＭデータベースに格納し得るＤＩＣＯＭサーバ等により構成することが好ましい。上記画像表示コンピュータは例えばＤＩＣＯＭ規格の画像データのビュアープログラムを有する読影用ワークステーション等により構成することが好ましい。上記読影結果ファイルは、例えば読影に係る音声データを格納した口述音声ファイル等により構成することが好ましい。上記業務用コンピュータは上記業務用サーバに接続された業務用パソコン等により構成することが好ましい。尚、読影結果は上記業務用サーバから上記クライアントコンピュータに向けて送信可能に構成することが好ましいが、その他電子メール、ＦＡＸ等により報告するように構成することもできる。
【００１０】
また、上記クライアントコンピュータは、上記画像データの上記読影センターへの送信と、読影依頼データの上記読影センターへの送信とを、各別に行うように構成することが好ましい。
【００１１】
また、上記クライアントコンピュータは、上記画像データに予め付与されている画像データ識別タグを抽出して、当該タグを付加した読影依頼データを作成するものであり、上記読影センターの上記画像系システムと、上記業務系システムにおいて、上記画像データと上記読影依頼データとを、上記画像データ識別タグにより関連付けするように構成することが好ましい。
【００１２】
上記画像データ識別タグは、例えばＤＩＣＯＭ規格の画像データに付与されている「Ｓｔｕｄｙ  Ｉｎｓｔａｎｃｅ  ＵＩＤ」タグ等によることが好ましい。上記画像データと上記読影依頼データとの関連付けは、上記「Ｓｔｕｄｙ  Ｉｎｓｔａｎｃｅ  ＵＩＤ」タグ等によって行うことが好ましい。尚、関連付けとは、上記画像系システムに格納されている画像データと、上記業務系システムに格納されている読影依頼データ等とを上記タグにより各々対応付けることをいう。上記業務用コンピュータに音声入力装置を設け、上記読影結果ファイルを音声ファイルとして作成可能に構成し、該業務用コンピュータは読影依頼データの検査インスタンスＵＩＤタグをファイル名とする口述音声ファイルを作成し、当該音声ファイルを上記業務用サーバに転送するものであり、上記業務用サーバは当該音声ファイルを格納するものであることが好ましい。
【００１３】
上記報告書用コンピュータに音声再生装置を設けると共に上記業務用サーバから上記音声ファイルを受信可能に構成し、上記報告書用コンピュータは、当該音声再生装置により再生される上記音声ファイルの音声を当該コンピュータからキー入力することにより上記報告書を作成可能に構成することが好ましい。
【００１４】
上記報告書用コンピュータは、単独のパソコン等により構成することもできるが、音声再生装置の接続された音声再生用パソコンと、当該音声再生用パソコンで再生される音声をキー入力することにより報告書を作成する報告書作成用のパソコンの２台により構成することもできる。
【００１５】
また、上記画像表示コンピュータと業務用コンピュータからなる読影ブースをサテライト読影ブースとして複数の地域に設置し、各サテライト読影ブースと上記読影センターとを接続し、かつ上記読影センターから画像データを特定のサテライト読影ブースに送信可能に構成すると共に、各サテライト読影ブースから上記読影センターの業務用サーバに対して読影結果ファイルを送信可能に構成することが好ましい。また、この場合、クライアントコンピュータを複数の地域に設置し、各クライアントコンピュータと上記読影センターをネットワークで接続することが好ましい。また、上記サテライト読影ブースへの読影依頼は、例えば読影センターから読影依頼データを送信することもできるし、電子メール等の連絡手段を用いることができる。また、サテライト読影ブースの業務用パソコンにおいて、読影センターの業務用サーバ内の読影依頼データを閲覧可能に構成することが好ましい。
【００１６】
また、上記クライアントコンピュータと読影センターとをインターネットに接続し、上記クライアントコンピュータから該インターネットを介して上記読影センター内の読影結果ファイルを閲覧可能に構成することが好ましい。このクライアントコンピュータは、契約病院に設置されるパソコン或は検査依頼元の病院等に設置されるパソコンの何れをも含むものである。
【００１７】
【発明の実施の形態】
以下、本発明の実施の形態を詳細に説明する。
【００１８】
図１は本発明の医療画像読影システム（第１の実施形態）の全体構成を示すものであって、１は遠隔地にある契約病院であり、ＣＴ，ＭＲＩ等の複数の医療機器（モダリティ）２が設置されており、該医療機器２がハブ３を介してクライアントパソコン４に接続されている。上記クライアントパソコン４は上記各種の医療機器２からＤＩＣＯＭ規格の画像データを取り込み、ハードディスク４ａに記憶可能に構成されており、これらの画像データ及び読影依頼データ等をルータ５を介してＦＴＰ通信によりネットワークＮ（ＩＳＤＮ等の高速広帯域網）に送信可能となっている。また、上記パソコン４にはイメージスキャナ４ｂが接続されており、上記読影依頼データとは別に各種読影依頼指示書を当該スキャナ４ｂで読み込んでイメージデータとして読影センター６に送信可能に構成されている。
【００１９】
６は、上記契約病院１からの上記画像データ、及び読影依頼データ等を上記ネットワークＮを介して受信する読影センターであり、ルータ７、ＦＴＰサーバ８を介してハブ９が設けられており、上記ネットワークＮから送信されるＤＩＣＯＭ規格の画像データを格納し、当該画像データの読み出し、書き込み制御等を行うＤＩＣＯＭサーバ１０、上記ネットワークから送られてくる上記読影依頼データを受けて読影に関する各種の業務を行う業務用サーバ１１が上記ハブ９に各々接続されている。また、上記ＤＩＣＯＭサーバ１０はＤＩＣＯＭ規格の画像データを格納するＤＩＣＯＭデータベース１０ａを有しており、上記業務用サーバ１１は、読影依頼データ等の各種業務用データを格納する業務用データベース１１ａを有している。
【００２０】
１２，１３は、ハブ１４及び９を介して上記ＤＩＣＯＭサーバ１０に接続された読影ワークステーションであり、上記ＤＩＣＯＭデータベース１０ａに記憶されているＤＩＣＯＭ規格の画像データをディスプレイ１２ａ，１３ａ上に表示して読影に供されるものである（図１９（ａ）参照）。
【００２１】
１５は、ハブ１６及び９を介して上記業務用サーバ１１に接続された業務用パソコンであり、上記読影ワークステーション１２，１３に対して画像データの呼び出し指示を行い、当該パソコン１５に接続された音声入力装置１７から入力される音声情報に基づいて口述音声ファイルの作成等を行うものである。上記音声入力装置１７は、マイク、録音ボタン、再生ボタン、早送りボタン、巻戻しボタン等を有するものであり、当該装置１７によりいわゆる口述記録による読影を行うものである。尚、上記読影用ワークステーション１２，１３と上記業務用パソコン１５は隣接して設置されるものであり、これらのコンピュータにより読影ブースＢが構成されている。
【００２２】
１８は、ハブ２０及び９を介して上記業務用サーバ１１に接続された報告書作成用パソコン、１９は、上記ハブ２０及び９を介して上記業務用サーバ１１に接続された音声再生用パソコンであり、該音声再生用パソコン１９には、音声再生装置２１が接続されている。上記音声再生装置２１は上記音声再生用パソコン１９内の口述音声ファイルの再生、停止、早送り、巻き戻し機能を有するものであり、当該パソコン１９で再生された音声を上記報告書作成用パソコン１８にてキー入力することで読影に係る報告書を作成するものである。
【００２３】
尚、上記画像データ、読影依頼データ、報告書データの送受信は、例えばＴＣＰ／ＩＰプロトコル制御によるＦＴＰ通信により１２８ＫｂｐｓのＩＳＤＮ等を利用して行うことができる。また、上記各パソコン、サーバ、ワークステーションは、各々ＣＲＴ等のディスプレイ装置、キーボード、マウス等の入力装置、ハードディスク等の内部記憶装置、プリンター等を具備する周知の構成からなるものである。
【００２４】
次に、本発明に係る読影システムのソフトウエア構成について説明する。
【００２５】
上記クライアントパソコン４の主記憶装置には、図２に示すように、ＤＩＣＯＭ受信アプリケーション２２、ＤＩＣＯＭタグ解析アプリケーション２３が格納されている。上記ＤＩＣＯＭ受信アプリケーション２２（図３参照）は、医療機器２からＤＩＣＯＭ規格の画像データを受信するアプリケーションであり、ＤＩＣＯＭ画像の取り込み操作がなされると（図３Ｓ１）、医療機器２から画像データを取り込み（図３Ｓ２）、取り込んだ画像データ各々に、ＤＩＣＯＭ規格に基づく標準的なタグ情報を付加して（図３Ｓ３）、ハードディスク４ａに記憶する（図３Ｓ４）。その後、上記読影センター６への送信操作がなされると（図３Ｓ５）、当該画像データを読影センター６のＤＩＣＯＭサーバ１０に向けてＦＴＰ送信により送信するものである（図３Ｓ６）。
【００２６】
上記ＤＩＣＯＭ規格の画像データは、例えば一患者に対して４０枚〜５０枚のｊｐｇ形式のＣＴスキャン画像等による画像データセットからなり、これら画像データの１つ１つにＤＩＣＯＭ規格に基づく標準的タグ情報が付加されるものである（図２の画像データセットＰ１参照）。このタグ情報の内、「Ｓｔｕｄｙ  Ｉｎｓｔａｎｃｅ  ＵＩＤ」タグ（検査インスタンスＵＩＤタグ）は、上記１つの画像データセット全てに（各画像データ各々に）同一のタグが付与されており、別の画像データセットには異なる「Ｓｔｕｄｙ  Ｉｎｓｔａｎｃｅ  ＵＩＤ」タグが付与される。従って、各画像データセットの区別は「Ｓｔｕｄｙ  Ｉｎｓｔａｎｃｅ  ＵＩＤ」タグにより可能となっている。この「Ｓｔｕｄｙ  Ｉｎｓｔａｎｃｅ  ＵＩＤ」タグの内容は、図１８に示すように、例えばドット（「．」）を含む６２桁の数字列により構成されており、最後の「．」の後に各画像毎の連続番号桁が設けられ、例えば、４０枚の画像データであれば、上記各画像データの連続番号桁に各画像データ毎の連続番号１〜４０の番号が付与されるものである。従って、４０枚の１画像データセットにおいては、上記連続番号を除く部分は同一の数字列から構成されている。尚、ＤＩＣＯＭ規格では、この「Ｓｔｕｄｙ  Ｉｎｓｔａｎｃｅ  ＵＩＤ」タグは最大６４バイト（英数半角であれば６４桁）とされており、各医療機器、病院等の各種都合によって桁数は変動するものである。
【００２７】
上記ＤＩＣＯＭタグ解析アプリケーション２３は、図４に示すように、上記ＤＩＣＯＭ受信アプリケーション２２が上記画像データをハードディスク４ａに取り込むと、これを検出し（図４Ｓ１）、上記画像データのタグ情報の内、上記「Ｓｔｕｄｙ  Ｉｎｓｔａｎｃｅ  ＵＩＤ」（例えば「２．３９２．２００・・・・４８４．１」（タグ番号（タグの種類を示す番号）「００２０，０００Ｄ」）を含む図５に示すタグ情報ａを抽出し（図４Ｓ２）、かつ図５に示す業務情報ｂを付加して上記抽出タグ及び業務情報からなる読影依頼データ３０を作成する（図４Ｓ３）。その後、上記アプリケーション２３は、読影センター６への送信操作がなされると（図４Ｓ４）、上記図５に示す読影依頼データ３０（「Ｓｔｕｄｙ  Ｉｎｓｔａｎｃｅ  ＵＩＤ」（００２０，０００Ｄ）を含む）をＦＴＰ送信により上記ネットワークＮを介して上記読影センター６の業務用サーバ１１に向けて送信する（図４Ｓ５）。
【００２８】
上記読影依頼データ３０の抽出タグａは図５に示すように上記「Ｓｔｕｄｙ  Ｉｎｓｔａｎｃｅ  ＵＩＤ」の他、「Ｉｎｓｔｉｔｕｔｉｏｎ  Ｎａｍｅ（病院名）」、「Ｉｎｓｔｉｔｕｔｉｏｎ  Ａｄｄｒｅｓｓ（病院の住所）」等の病院１を特定する情報、医療機器２を特定する「Ｍｏｄａｒｉｔｙ（医療機器）」、患者を特定する情報「Ｐａｔｉｅｎｔ’ｓ  Ｎａｍｅ（患者名）」等、シリーズの固有識別子である「Ｓｅｒｉｅｓ  ＵＩＤ」等からなるものであり、各タグの種類を示すタグ番号は、各々４桁の数字等の２つの組合せ（００２０，０００Ｄ等）で構成されている。上記業務情報ｂは図５に示すように、「依頼ＩＤ」、「受付日」、「主治医」、「検査目的」、等の読影依頼に関連する情報、及び「送受信方法」「画像の数」等の送受信に必要な情報等から構成されている。尚、抽出タグａとして抽出する「Ｓｔｕｄｙ  Ｉｎｓｔａｎｃｅ  ＵＩＤ」の連続番号は何れでも良いが、ここでは連続番号「１」の「Ｓｔｕｄｙ  ＩｎｓｔａｎｃｅＵＩＤ」（即ち、「２．３９２．２００・・・４８４．１」）を抽出するものとする（図１８、図５参照）。また、以下の説明において、図１８に示す６２桁の数字列（例えば、「２．３９２．２００・・・４８４．１」）を「Ｓｔｕｄｙ  Ｉｎｓｔａｎｃｅ  ＵＩＤ」、或いは「Ｓｔｕｄｙ  Ｉｎｓｔａｎｃｅ  ＵＩＤ」タグという。
【００２９】
上述のように上記クライアントパソコン４では医療機器２から取りこんだ画像データセットＰ１の読影センター６への送信と、それに対応する読影依頼データ３０の読影センター６への送信が各別に行われるように構成されている（図２参照）。従って、上記画像データセットＰ１等の読影センター６への送信と、上記読影依頼データ３０等の読影センター６への送信は別々に行われるが、上記画像データセットＰ１等と読影依頼データ３０等は共通の「Ｓｔｕｄｙ  Ｉｎｓｔａｎｃｅ  ＵＩＤ」（例えば「２．３９２．２００・・・４８４．１」）タグにより対応付けられているので、上記読影センター６側では、この「Ｓｔｕｄｙ  Ｉｎｓｔａｎｃｅ  ＵＩＤ」タグにより上記画像データセットＰ１等と読影依頼データ３０等との対応付けを行うように構成されている（図２０）。また、上記スキャナ４ｂから読み込んだ読影依頼指示書のイメージデータは一旦ハードディスク４ａに記憶され、上記ＤＩＣＯＭタグ解析アプリケーション２３により上記読影依頼データと共に、或いはメイル送信ソフト等の汎用ソフト等により上記読影センター６に送信される。
【００３０】
上記読影センター６のＦＴＰサーバ８は上記契約病院１側から上記ネットワークＮを介して上記画像データセットを受けると、当該画像データセットをＤＩＣＯＭサーバ１０に転送し、上記読影依頼データ及び上記読影依頼指示書のイメージデータを受けると、当該読影依頼データ等を業務用サーバ１１に転送するものである。
【００３１】
上記ＤＩＣＯＭサーバ１０は、その主記憶装置に図６に示すサーバアプリケーションを具備している。該アプリケーションは、上記ＦＴＰサーバ８を介して画像データセットＰ１等を受信すると（図６Ｓ１）、当該画像データセットＰ１をＤＩＣＯＭデータベース１０ａに格納する（図６Ｓ２、図２、図２０参照）。また、後述の読影用ワークステーション１２から「Ｓｔｕｄｙ  ＩｎｓｔａｎｃｅＵＩＤ」タグにより指定された読影用の画像データの呼び出し指令があると（図６Ｓ３）、当該「Ｓｔｕｄｙ  Ｉｎｓｔａｎｃｅ  ＵＩＤ」タグに対応する画像データを上記ＤＩＣＯＭデータベース１０ａから読み出し（図６Ｓ４）、上記読影用ワークステーション１２に転送するものである（図６Ｓ５，図１０参照）。
【００３２】
上記業務用サーバ１１は、その主記憶装置に図７及び図８に示すサーバアプリケーションを具備している。同アプリケーションは、上記ＦＴＰサーバ８を介してクライアントパソコン４から「Ｓｔｕｄｙ  Ｉｎｓｔａｎｃｅ  ＵＩＤ」を含む上記読影依頼データを受けると（図７Ｓ１）、当該読影依頼データを業務用データベース１１ａに格納する（図７Ｓ２、図２、図９参照）。尚、上記読影依頼指示書のイメージデータが送信された場合は、当該データも上記業務用データベース１１ａに格納される。尚、この場合、各読影依頼指示書のイメージデータにも対応するＳｔｕｄｙ  Ｉｎｓｔａｎｃｅ  ＵＩＤタグが付与される（図９参照）。また、上記業務用パソコン１５から読影依頼データの表示指令があると（図７Ｓ３）、上記業務用データベース１１ａ内に格納されている読影依頼データを上記業務用パソコン１５に転送する動作を行うものである（図７Ｓ４）。尚、上記読影依頼指示書のイメージデータの表示指令に基づいて、当該イメージデータも上記業務用パソコン１５に転送される。また、上記業務用パソコン１５にて作成された口述音声ファイル（口述音声データ）の登録要求があると（図７Ｓ５、図１１参照）、当該口述音声ファイル（Ｓｔｕｄｙ  Ｉｎｓｔａｎｃｅ  ＵＩＤ．ｗａｖ）を上記データベース１１ａ内に格納し（図７Ｓ６）、上記音声再生用パソコン１９又は報告書作成用パソコン１８から「Ｓｔｕｄｙ  Ｉｎｓｔａｎｃｅ  ＵＩＤ」にて特定される口述音声ファイルの呼び出し指令があると（図７Ｓ７、Ｓ１０）、業務用データベース１１ａ内の口述音声ファイルを検索し（図７Ｓ８）、上記音声再生用パソコン１９に転送するものである（図７Ｓ９、図１１参照）。
【００３３】
また、上記読影ワークステーション１２から後述のキー画像の転送があると（図８Ｓ１）、当該キー画像を業務用データベース１１ａに格納する（図８Ｓ２、図９、図１０参照）。また、上記業務用パソコン１５から当該キー画像の読み出し指令があると（図８Ｓ３）、指定されたキー画像を業務用データベース１１ａから読み出し、上記業務用パソコン１５に転送する（図８Ｓ４、図１０参照）。さらに、上記報告書作成用パソコン１８から報告書データの転送（入力）があると（図８Ｓ５）、当該報告書データを業務用データベース１１ａに格納すると共に（図８Ｓ６、図９、図１１参照）、「Ｓｔｕｄｙ  Ｉｎｓｔａｎｃｅ  ＵＩＤ」にて特定される特定の報告書データの病院１への送信操作があると（図８Ｓ７）、指定された報告書データを業務用データベース１１ａより読み出し、当該報告書データを上記契約病院１のクライアントパソコン４に向けて送信するものである（図８Ｓ８）。
【００３４】
上記業務用パソコン１５には、その主記憶装置に業務システムアプリケーション２４及び音声入力アプリケーション２５が格納されている（図１０、図１１参照）。上記業務システムアプリケーション２４は、読影依頼データの表示操作がなされた場合は（図１２Ｓ１）、上記業務用サーバ１１に対して読影依頼データの表示指令を行い（図１２Ｓ２）、上記業務用サーバ１１から読影依頼データが転送されると（図１２Ｓ３）、該読影依頼データを当該パソコン１５のディスプレイ１５ａ上に表示するものである（図１２Ｓ４、図１９（ｂ））。尚、上記読影依頼指示書のイメージデータも上記読影依頼データと共に上記ディスプレイ１５ａ上に表示させることができる（図１９（ｂ）参照）。また、上記ディスプレイ１５ａ上に表示された読影依頼データの内、読影を行う読影依頼データの指定があると（図１２Ｓ５）、上記読影用ワークステーション１２に対して当該指定された読影依頼データに付加されている「Ｓｔｕｄｙ  Ｉｎｓｔａｎｃｅ  ＵＩＤ」を特定して、当該「Ｓｔｕｄｙ  Ｉｎｓｔａｎｃｅ  ＵＩＤ」タグを有する画像データセットの表示指令を行うものである（図１２Ｓ６、図１０参照）。これにより、上記読影用ワークステーション１２のディスプレイ上に上記「Ｓｔｕｄｙ  Ｉｎｓｔａｎｃｅ  ＵＩＤ」で特定される複数の画像データが表示されることになる（図１９（ａ）参照）。
【００３５】
即ち、図２０に示すように読影依頼データ（その他業務用サーバ１１の業務用データベース１１ａに格納されている各種データ）と、ＤＩＣＯＭサーバ１０のデータベース１０ａに格納されている画像データは各「Ｓｔｕｄｙ  Ｉｎｓｔａｎｃｅ  ＵＩＤ」タグにより関連付け（対応付け）がなされているものである。さらに、業務用パソコン１５にて音声入力アプリケーションの起動操作が行われると（図１２Ｓ７）、該音声入力アプリケーション２５の起動処理が行われ（図１２Ｓ８、図１１参照）、上記音声入力装置１７を使用しての口述記録による読影が行われる。また、読影中に読影ワークステーション１２又は１３のディスプレイ上に表示されている画像の内、特定画像の指定操作が行われると（図１２Ｓ９）、後述の画像貼付アプリケーションを起動し（図１２Ｓ１０）、後述のキー画像の転送処理が行われる（図１２Ｓ１０，図１０参照）。その後、特定のキー画像の表示操作を行うと（図１２Ｓ１１）、上記業務用サーバ１１に対して「Ｓｔｕｄｙ  Ｉｎｓｔａｎｃｅ  ＵＩＤ」タグにより指定されたキー画像の検索指令を行い、業務用サーバ１１から指定したキー画像データが転送された場合は、当該キー画像の表示を行う（図１２Ｓ１２）。また、キー画像に対応する画像データセット（比較用画像等）の表示操作が行われると（図１２Ｓ１３）、上記読影ワークステーション１２に対してキー画像に対応する画像データセットの表示指令が行われる（図１２Ｓ１４）。尚、当該画像データセットの表示指令においても「Ｓｔｕｄｙ  Ｉｎｓｔａｎｃｅ  ＵＩＤ」タグにより画像データセットの特定が行われる（図１０参照）。
【００３６】
上記音声入力アプリケーション２５は（図１３参照）、上記読影ワークステーション１２のディスプレイ１２ａに表示された読影画像を見ながら医師が音声入力装置１７より口述による読影操作が行われると（図１３Ｓ１）、読影用ワークステーション１２のディスプレイ１２ａに表示されている画像データの「Ｓｔｕｄｙ  Ｉｎｓｔａｎｃｅ  ＵＩＤ」タグをファイル名とする口述音声ファイル（ｗｅｖファイル）を作成し（図１３Ｓ２）、当該口述音声ファイル（口述音声データ）を上記業務用サーバ１１に転送する（図１３Ｓ３、図１１参照）。これにより、当該サーバ１１の業務用データベース１１ａに上記口述音声ファイルの登録を行うものである（図９、図１１参照）。
【００３７】
上記読影用ワークステーション１２には、図１０に示すように、その主記憶装置にＤＩＣＯＭ規格による既存のＤＩＣＯＭビュアープログラム２６及び画像貼付アプリケーション２７が格納されている。上記ＤＩＣＯＭビュアープログラム２６は、図１４に示すように、上記業務用パソコン１５から「Ｓｔｕｄｙ  Ｉｎｓｔａｎｃｅ  ＵＩＤ」タグで特定される画像データの呼び出し指令があると（図１４Ｓ１）、上記ＤＩＣＯＭサーバ１０に対して該「Ｓｔｕｄｙ  Ｉｎｓｔａｎｃｅ  ＵＩＤ」により特定される画像データの呼び出し指令を行い（図１４Ｓ２）、上記ＤＩＣＯＭサーバ１０から当該画像データが転送されると、これを検出し（図１４Ｓ３）、当該画像データをディスプレイ上に表示する（図１４Ｓ４）。尚、読影用ワークステーションは上記ワークステーション１２の他、隣接して読影用ワークステーション１３が設けられており、上記画像データは上記２つのワークステーション１２，１３の各ディスプレイ１２ａ，１３ａに表示される（図１９（ａ）参照）。
【００３８】
上記画像貼付アプリケーション２７は（図１５参照）、上記業務用パソコン１５から画像貼付アプリケーションの起動指令（図１２Ｓ１０）に基づいて起動するものであり、上記業務用パソコン１５における読影時に、当該パソコン１５から上記読影ワークステーション１２のディスプレイ１２ａ上に表示されている読影画像の内、「Ｓｔｕｄｙ  Ｉｎｓｔａｎｃｅ  ＵＩＤ」により特定される読影画像（例えば図１９（ａ）の１〜４の画像データ）の抽出指令（図１２Ｓ９）があると（図１５Ｓ１）、当該読影画像をキー画像として抽出し（図１５Ｓ２）、当該キー画像に「検査ＩＤ、検査日付、患者性別、患者氏名」のタグ情報を付加し、「Ｓｔｕｄｙ  Ｉｎｓｔａｎｃｅ  ＵＩＤ」及び画像識別番号からなるファイル名（「Ｓｔｕｄｙ  Ｉｎｓｔａｎｃｅ  ＵＩＤ＿ｉｍａｇ１．ｊｐｇ」等）を付与して、上記業務用サーバ１１に転送するものである（図１５Ｓ３、図１０参照）。
【００３９】
上記報告書作成用パソコン１８には図１１に示すように、その主記憶装置に報告書作成アプリケーション２８（図１６）が格納されており、当該アプリケーション２８は口述音声ファイルの指定操作が行われると（図１６Ｓ１）、上記業務用サーバ１１に対して「Ｓｔｕｄｙ  Ｉｎｓｔａｎｃｅ  ＵＩＤ」を指定することにより、所定の口述音声ファイルの呼び出し指令（検索）を行うものである（図１６Ｓ２）。また、当該アプリケーション２８はディスプレイ上に報告書のフォーマットを表示し（図１６Ｓ３）、オペレータによる音声再生アプリケーション２９の起動操作が行われると（図１６Ｓ４）、音声再生用パソコン１９に対して音声再生アプリケーション２９の起動指令を行う（図１６Ｓ５）。その後、上記音声再生用パソコン１９にて再生される読影音声のキー入力による打ち込み操作が行われると（図１６Ｓ６）、当該キー入力された文字をディスプレイ上の報告書の所定ヶ所に表示して、「Ｓｔｕｄｙ  Ｉｎｓｔａｎｃｅ  ＵＩＤ」タグを付加した報告書を作成し（図１６Ｓ７）、作成された報告書データを上記業務用サーバ１１に転送するものである（図１６Ｓ８）。これにより、上記報告書データは業務用データベース１１ａに格納される（図９，図１１参照）。尚、上述のように、上記報告書についても「Ｓｔｕｄｙ  Ｉｎｓｔａｎｃｅ  ＵＩＤ」タグが付与されており（図９参照）、上記口述音声ファイル、キー画像、読影依頼データ、読影依頼指示書イメージデータ及びＤＩＣＯＭ画像と各々、一対一に対応付けが行われものである。
【００４０】
上記音声再生用パソコン１９には図１１に示すように、その主記憶装置に音声再生アプリケーション２９が格納されており、当該アプリケーション２９は、上記報告書作成用パソコン１８から業務用サーバ１１に対する口述音声ファイルの検索指令に基づいて、業務用サーバ１１から口述音声ファイルの転送を受けると（図１７Ｓ１）、該口述音声ファイルを内部記憶装置に記憶する（図１７Ｓ２）。そして、オペレータによる音声再生装置２１の再生の操作に基づいて当該口述音声ファイルの再生を行うものである（図１７Ｓ３，Ｓ４）。当該音声ファイルの再生を行うと、上記音声ファイルの口述音声がスピーカ（又はヘッドホン等）から再生され、オペレータが当該再生音声を聞きながら上記報告書作成用パソコン１８から当該音声をキー入力して報告書を作成するものである。
【００４１】
図２１は上記ＤＩＣＯＭサーバ１０と業務用サーバ１１におけるＤＩＣＯＭ画像データと読影依頼データ等の対応付けに係る機能ブロックを示すもので、上記ＤＩＣＯＭサーバ１０は、Ｓｔｕｄｙ  Ｉｎｓｔａｎｃｅ  ＵＩＤによる画像データの指定がなされると、Ｓ．Ｉ．ＵＩＤ検索・比較手段１０ｄがＤＩＣＯＭデータベース１０ａ内の複数の画像データの内、特定されたＳｔｕｄｙ  Ｉｎｓｔａｎｃｅ  ＵＩＤとデータベース１０ａ内の画像データの上記ＵＩＤとを比較し、同一のＵＩＤ（画像データセットの場合は、最終の連番桁を除く数字列の一致するデータ）を有する画像データセット（又は特定の画像データ）を抽出し、画像データ送信手段１０ｃが上記抽出された画像データセット（又は特定の画像データ）を読影ワークステーション１２，１３に送信するものである。また、上記業務用サーバ１１は、Ｓｔｕｄｙ  Ｉｎｓｔａｎｃｅ  ＵＩＤによる各種データ（例えば口述音声ファイル等）の指定がなされると、Ｓ．Ｉ．ＵＩＤ検索・比較手段１１ｃが業務用データベース１１ａ内のデータの内、特定されたＳｔｕｄｙＩｎｓｔａｎｃｅ  ＵＩＤとデータベース１１ａ内のデータ（口述音声ファイル等）のＵＩＤとを比較し、同一のＵＩＤを有するデータ（口述音声ファイル等）を抽出し、データ送信手段１１ｄが上記抽出されたデータ（口述音声ファイル等）を業務用パソコン１５（口述音声ファイルの場合は、音声再生用パソコン１９）に送信するものである。尚、上記ワークステーション１２（１３）或いは業務用パソコン１５から上記Ｓｔｕｄｙ  Ｉｎｓｔａｎｃｅ  ＵＩＤの付加されたキー画像、報告書データ、口述音声ファイルの送信があると、これらのデータは業務用データベース１１ａに記憶される。また、報告書データは業務用サーバ１１の送受信手段１１ｂから各クライアントパソコンに送信される。
【００４２】
次に、本医療画像読影システムの動作について説明する。
【００４３】
まず、病院１において、クライアントパソコン４にて画像データの取り込み操作が行われると（図３Ｓ１）、当該パソコン４は医療機器２からＤＩＣＯＭ画像（ここではＣＴスキャン画像４０枚の画像データセットＰ１とする）を取り込み（図３Ｓ２）、４０枚の各画像に図１８に示す１〜４０のＳｔｕｄｙ  Ｉｎｓｔａｎｃｅ  ＵＩＤ（２．３９２．２００・・・４８４．１〜）を含むＤＩＣＯＭ規格の標準的なタグ情報を付加して（図３Ｓ３）、これらの画像データセットＰ１をハードディスク４ａに一旦記憶する（図３Ｓ４）。その後、当該パソコン４において、当該画像データセットＰ１の送信操作が行われると（図３Ｓ５）、当該パソコン４は上記画像データセットＰ１をタグ情報と共に読影センター６のＤＩＣＯＭサーバ１０に向けてＦＴＰ通信により送信する（図３Ｓ６）。
【００４４】
上記画像データセットＰ１はネットワークＮを介して上記読影センター６に送信され、該センター６のＦＴＰサーバ８は上記画像データセットＰ１を受信すると、当該画像データセットをＤＩＣＯＭサーバ１０に転送する。該ＤＩＣＯＭサーバ１０は、上記画像データセットＰ１を受信すると（図６Ｓ１）、当該画像データセットＰ１をＤＩＣＯＭデータベース１０ａに格納する（図６Ｓ２、図２、図２０参照）。このような画像データセットの契約病院１からの送信は、読影依頼とは別個に行われるため、読影依頼とは関係なく他の複数の画像データセットの送信が行われ、上記ＤＩＣＯＭデータベース１０ａには複数の異なる画像データセットが格納されていく（図２０の画像データセットＰ２参照）。尚、これらの画像データセットには全て異なる「Ｓｔｕｄｙ  Ｉｎｓｔａｎｃｅ  ＵＩＤ」タグが付与されているので（例えば画像データＰ２は「１．２．８６２・・・２７７．１〜」等）、各画像データセットは「Ｓｔｕｄｙ  Ｉｎｓｔａｎｃｅ  ＵＩＤ」タグにより識別可能となっている。
【００４５】
一方、上記クライアントパソコン４において、上記画像データセットＰ１のハードディスク４ａへの格納が行われると（図４Ｓ１）、ＤＩＣＯＭタグ解析アプリケーション２３が上記画像データに付与されている標準的ＤＩＣＯＭタグから「Ｓｔｕｄｙ  Ｉｎｓｔａｎｃｅ  ＵＩＤ（２．３９２．２００・・・４８４．１）タグ（００２０，０００Ｄ）を含む図５に示すタグ情報ａの抽出を行い（図４Ｓ２）、さらにかかる抽出タグに図５に示す業務情報ｂを付加して読影依頼データ３０を作成する（図４Ｓ３）。尚、他の画像データセットが上記ハードディスク４ａに記憶されている場合は、他の「Ｓｔｕｄｙ  Ｉｎｓｔａｎｃｅ  ＵＩＤ」（例えば、「１．２．８６２・・・２７７．１」等）を含む読影依頼データが作成され上記ハードディスク４ａに格納される。
【００４６】
その後、当該クライアントパソコン４にて、上記「Ｓｔｕｄｙ  Ｉｎｓｔａｎｃｅ  ＵＩＤ」（２．３９２．２００・・・４８４．１）を指定することにより上記読影依頼データ３０の送信操作が行われると（図４Ｓ４）、上記クライアントパソコン４は、上記「Ｓｔｕｄｙ  Ｉｎｓｔａｎｃｅ  ＵＩＤ」で指定された読影依頼データ３０をハードディスク４ａから読み出し、上記読影センター６の業務用サーバ１１に向けてＦＴＰ送信により送信する（図４Ｓ５，図２参照）。また、当該読影依頼に対応する読影依頼指示書のイメージデータも当該パソコン４から読影センター６に送信することができる。このとき、当該読影依頼指示書はイメージデータとして送信することができるので、当該指示書に読影時に参考となる情報を記載したり、患部をイラスト等で指示することができる。
【００４７】
上記読影依頼データ３０は上記ネットワークＮを介して上記読影センター６に送信され、該センター６のＦＴＰサーバ８は上記読影依頼データ３０を受信すると、当該データ３０を業務用サーバ１１に転送する。該業務用サーバ１１は、当該読影依頼データ３０を受信すると（図７Ｓ１）、当該読影依頼データ３０を業務用データベース１１ａに格納する（図７Ｓ２、図２、図９参照）。尚、他の読影依頼データも上記クライアントパソコン４から順次送信され、上記業務用データベース１１ａに格納されていくが、各読影依頼データはその「Ｓｔｕｄｙ  Ｉｎｓｔａｎｃｅ  ＵＩＤ」タグにて区別され、かつ当該「Ｓｔｕｄｙ  Ｉｎｓｔａｎｃｅ  ＵＩＤ」タグにより上記ＤＩＣＯＭデータベース１０ａに既に記憶されている画像データセットＰ１等と一対一に対応付けられているものである（図９、図２０参照）。また、上記読影依頼指示書のイメージデータも上記データベース１１ａに記憶される。尚、図９に示すＳｔｕｄｙ  Ｉｎｓｔａｎｃｅ  ＵＩＤ＊１は「２．３９２．２００・・・４８４．１」（画像データセットＰ１に対応）を、Ｓｔｕｄｕ  Ｉｎｓｔａｎｃｅ  ＵＩＤ＊２は「１．２．８６２・・・２７７．１」（画像データセットＰ２に対応）を示すものとする。
【００４８】
次に、読影センター６において、専門医師が読影を行う場合は、医師等が業務用パソコン１５にて読影依頼データの表示操作を行うと（図１２Ｓ１）、当該パソコン１５の業務システムアプリケーション２４が業務用サーバ１１に対して読影依頼データの表示指令を行う（図１２Ｓ２）。上記業務用サーバ１１は、当該表示指令に基づいて業務用データベース１１ａに記憶している複数の読影依頼データを上記業務用パソコン１５に転送する（図７Ｓ３，Ｓ４）。上記業務用パソコン１５は上記読影依頼データの転送を受けると（図１２Ｓ３）、これらの複数の読影依頼データを当該パソコン１５のディスプレイ１５ａ上に表示する（図１２Ｓ４，図１９（ｂ）参照）。このとき、上記業務用システムアプリケーション２４は、上記読影依頼データに含まれる抽出タグａに基づいて各種情報、例えば「病院名」、「患者名」、「モダリティ」、「Ｓｔｕｄｙ  Ｉｎｓｔａｎｃｅ  ＵＩＤ」等を表示するため、医師は当該業務用パソコン１５のディスプレイ１５ａ上にて読影しようとする読影依頼を容易に選択することができる。
【００４９】
ここで、業務用パソコン１５のディスプレイ１５ａにおいて、医師等はこれから読影を行う画像データセットに対応する読影依頼データ（ここでは読影依頼データ３０とする）の指定操作をマウス等で行うと（図１２Ｓ５）、業務用パソコン１５は読影用ワークステーション１２に対して、指定された読影依頼データ３０に対応する「Ｓｔｕｄｙ  Ｉｎｓｔａｎｃｅ  ＵＩＤ（２．３９２．２００・・・４８４．１）」（００２０，０００Ｄ）を有する画像データセットの呼び出し指令を行う（図１２Ｓ６、図１０参照）。
【００５０】
上記読影用ワークステーション１２のＤＩＣＯＭビュアープログラム２６は、上記画像データセットの呼び出し指令が行われると（図１４Ｓ１）、ＤＩＣＯＭサーバ１０に対して上記「Ｓｔｕｄｙ  Ｉｎｓｔａｎｃｅ  ＵＩＤ」（２．３９２．２００・・・４８４．１）（００２０，０００Ｄ）にて特定される画像データセットの呼び出し指令を行う（図１４Ｓ２）。これにより、上記ＤＩＣＯＭサーバ１０は、上記「Ｓｔｕｄｙ  Ｉｎｓｔａｎｃｅ  ＵＩＤ」タグを有する画像データセットＰ１をＤＩＣＯＭデータベース１０ａから読み出し（図６Ｓ３，Ｓ４）、当該画像データセットＰ１を上記読影用ワークステーション１２に転送する（図６Ｓ５）。上記読影用ワークステーション１２は上記画像データセットＰ１の転送を確認すると（図１４Ｓ３）、当該画像データセットＰ１の画像を当該ワークステーション１２のディスプレイ１２ａ上に表示する（図１４Ｓ４、図１９（ａ）参照）。尚、読影ワークステーション１３が設置されている場合は、当該ワークステーション１３のディスプレイ１３ａ上にも上記画像が表示される（図１９（ａ）参照）。また、このとき読影医師は業務用パソコン１５において上記ＵＩＤを指定することにより、上記画像データに対応する読影依頼指示書のイメージデータを上記業務用サーバ１１から読み出し、当該業務用パソコン１５のディスプレイ１５ａ上に表示して適宜読影の参考にすることができる（図１９（ｂ））。
【００５１】
ここで、上記医師は音声入力アプリケーション２５の起動操作を行うと（図１２Ｓ７）、音声入力アプリケーション２５が起動し（図１２Ｓ８）、上記医師はかかる状態で、当該読影ワークステーション１２又は１３のディスプレイ１２ａ，１３ａに表示される画像を見ながら、業務用パソコン１５に接続された音声入力装置１７を操作して、当該装置１７のマイクに向かって読影結果を音声にて入力する（図１３Ｓ１）。すると、当該音声は音声データとして業務用パソコン１５に入力され、上記音声入力アプリケーション２５は、読影音声データの格納された音声ファイルを作成し、当該音声ファイルに、「Ｓｔｕｄｙ  Ｉｎｓｔａｎｃｅ  ＵＩＤ」からなる「Ｓｔｕｄｙ  Ｉｎｓｔａｎｃｅ  ＵＩＤ．ｗａｖ」（例えば「２.３９２.２００・・・４８４.１.ｗａｖ」等）とのファイル名を付与し、当該音声ファイルを業務用サーバ１１に転送する（図１３Ｓ２，Ｓ３，図１１参照）。上記業務用サーバ１１は、上記業務用パソコン１５から上記音声ファイルの転送があると（図７Ｓ５）、当該口述音声ファイルを業務用データベース１１ａに格納する（図７Ｓ６，図９、図１１参照）。
【００５２】
また、医師は上記読影中に、報告書に添付したい特定画像がある場合は、当該業務用パソコン１５にて上記読影ワークステーション１２又は１３のディスプレイ１２ａ又は１３ａに表示されている特定画像（例えば図１９（ａ）の画像１〜４）の指定操作を行う（図１２Ｓ９）。尚、画像の特定は１画像でも複数でも良い。すると、上記業務システムアプリケーション２４は、読影ワークステーション１２に対して画像貼付アプリケーション２７の起動指令を行い、さらに指定された特定画像の抽出指令を行う（図１２Ｓ１０、図１０参照）。当該抽出指令に基づいて、上記読影用ワークステーション１２の画像貼付アプリケーション２７が起動し、該アプリケーション２７は当該ワークステーション１２のディスプレイに表示されている指定された画像（１〜４）をキー画像として抽出し（図１５Ｓ１、Ｓ２）、当該キー画像に「Ｓｔｕｄｙ  Ｉｎｓｔａｎｃｅ  ＵＩＤ」、連番からなるファイル名（例えば「Ｓｔｕｄｙ  Ｉｎｓｔａｎｃｅ  ＵＩＤ＿ｉｍａｇ１．ｊｐｇ／Ｓｔｕｄｙ  Ｉｎｓｔａｎｃｅ  ＵＩＤ＿ｉｍａｇ２．ｊｐｇ・・・」等、即ち、２．３９２．２００・・・４８４．１＿ｉｍａｇ１．ｊｐｇ／２．３９２．２００・・・４８４．１＿ｉｍａｇ２．ｊｐｇ等）を付与し、業務用サーバ１１に転送する（図１５Ｓ３，図１０参照）。上記業務用サーバ１１は、上記読影用ワークステーション１２から上記キー画像ファイルの転送があると、当該キー画像を業務用データベース１１ａに格納する（図８Ｓ１、Ｓ２、図９参照）。尚、上記キー画像の業務用データベース１１ａへの格納は、他の読影依頼の読影時にも順次行われるが、当該キー画像のファイル名も「Ｓｔｕｄｙ  Ｉｎｓｔａｎｃｅ  ＵＩＤ」タグが付されるため、他の読影時のキー画像とは当該タグにより区別される（図９参照）。また、医師が上記業務用サーバ１１に記憶されているキー画像を見たい場合は、「Ｓｔｕｄｙ  Ｉｎｓｔａｎｃｅ  ＵＩＤ」により業務用パソコン１５にて上記キー画像の指定操作を行うと（図１２Ｓ１１）、業務用パソコン１５は指定されたキー画像に対応する「Ｓｔｕｄｙ  Ｉｎｓｔａｎｃｅ  ＵＩＤ」タグにより業務用サーバ１１に対してキー画像の表示検索指令を行い（図１２Ｓ１２、図１０参照）、上記サーバ１１は上記指定されたデータベース１１ａ内のキー画像を検索して読み出し、上記業務用パソコン１５に転送する（図８Ｓ３，Ｓ４）。上記業務用パソコン１５は、上記サーバ１１からキー画像の転送が行われると、当該キー画像を業務用パソコン１５のディスプレイ１５ａ上に表示する（図１２Ｓ１２）。また、上記キー画像に対応する他の画像を比較用画像として見たい場合は、「Ｓｔｕｄｙ  Ｉｎｓｔａｎｃｅ  ＵＩＤ」により業務用パソコン１５にて当該キー画像に対応する画像データセットの表示指令操作を行うと（図１２Ｓ１３）、当該パソコン１５から読影ワークステーション１２に対して「Ｓｔｕｄｙ  Ｉｎｓｔａｎｃｅ  ＵＩＤ」タグにより当該画像データセットの表示指令が行われ（図１２Ｓ１４）、その結果読影ワークステーション１２のディスプレイ１２ａ又は１３ａ上に当該画像データセットに対応する全部の画像（上記比較用の過去画像等）が表示される（図１４Ｓ１〜Ｓ４）���以上にて、上記読影依頼データ３０の画像データセットＰ１（「Ｓｔｕｄｙ  Ｉｎｓｔａｎｃｅ  ＵＩＤ」（２．３９２．２００・・・４８４．１）（００２０，０００Ｄ））の読影が終了したことになる。
【００５３】
次に、報告書作成操作について説明する。まず、報告書作成オペレータが報告書作成用パソコン１８にて、報告書作成に係る口述音声ファイルの指定操作を行う（図１６Ｓ１）。尚、当該ファイルの指定は、上記「Ｓｔｕｄｙ  Ｉｎｓｔａｎｃｅ  ＵＩＤ」（例えば「２．３９２．２００・・・４８４．１」）により指定することができる。すると、上記パソコン１８は業務用サーバ１１に対して指定された口述音声ファイルの呼び出し指令を行い、さらにそのディスプレイ上に報告書フォーマットを表示する（図１６Ｓ２、Ｓ３）。上記業務用サーバ１１は、上記呼び出し指令があると（図７Ｓ１０）、業務用データベース１１ａ内の口述音声ファイルの検索を行い、該当する口述音声ファイルを音声再生用パソコン１９に転送する（図７Ｓ８、Ｓ９、図１１参照）。
【００５４】
また、上記オペレータが音声再生アプリケーション２９の起動操作を行うと（図１６Ｓ４）、上記報告書作成用パソコン１８は上記音声再生用パソコン１９に対して音声再生アプリケーション２９の起動指令を行う（図１６Ｓ５、図１１参照）。
【００５５】
上記音声再生用パソコン１９は、上記業務用サーバ１１から口述音声データファイルの転送を受けると、当該口述音声データファイルをハードディスク等の記憶装置に一旦記憶する（図１７Ｓ１，Ｓ２）。その後、上記オペレータが音声再生装置２１を操作して上記口述音声ファイルの再生操作を行うと（図１７Ｓ３）、上記音声再生用パソコン１９は、上記口述音声ファイルの再生を行う（図１７Ｓ４）。その結果、上記音声再生装置２１のスピーカ等から上記口述音声データの音声が再生される。上記オペレータは、上記再生音声を聞きながら、上記報告書作成用パソコン１８から当該音声をキー入力し（図１６Ｓ６）、上記報告書作成アプリケーションはキー入力された文字を上記報告書の所定ヶ所に打ち込み、報告書を作成する（図１６Ｓ７）。報告書が作成されると、上記報告書作成パソコン１８は、作成されたは報告書データにＳｔｕｄｙ  Ｉｎｓｔａｎｃｅ  ＵＩＤを付加して業務用サーバ１１に転送する（図１６Ｓ８）。
【００５６】
上記業務用サーバ１１は、上記報告書データの転送を受けると（図８Ｓ５）、当該報告書データを業務用データベース１１ａに格納する（図８Ｓ６、図９参照）。
【００５７】
以上の操作により、読影依頼データ３０に係る読影依頼の報告書が作成されたことになる。
【００５８】
その後、業務用サーバ１１にて、上記「Ｓｔｕｄｙ  Ｉｎｓｔａｎｃｅ  ＵＩＤ」（例えば「２．３９２．２００・・・４８４．１」）を指定することにより上記報告書の病院１への送信操作が行われると（図８Ｓ７）、上記業務用サーバ１１は指定された上記報告書データを業務用データベース１１ａから読み出し、契約病院１のクライアントパソコン４に向けて送信する（図８Ｓ８）。尚、報告書の契約病院１への送信は、その他、電子メール、ＦＡＸ、郵送等の各種の方法で行うことができる。
【００５９】
尚、上述のように、上記業務用パソコン１５において、業務用サーバ１１に対しキー画像の読み出し指令を行うと（図１２Ｓ１１）、上記業務用サーバ１１はデータベース１１ａに格納されているキー画像を検索し、指定されたキー画像を上記業務用パソコン１５に転送する（図８Ｓ３、Ｓ４）。これにより、上記業務用パソコン１５は複数の上記キー画像をディスプレイ１５ａ上に表示することができる（図１０参照）。このとき、キー画像に付加されている上記「検査ＩＤ、検査日付、患者性別、患者氏名」等の情報も同時に表示される。また上記データベース１１ａに格納されている報告書データは、上記業務用パソコン１５、又は業務用サーバ１１にて上記キー画像と共に読影所見報告書として印刷することができる（図１０参照）。
【００６０】
以上のように、本発明によれば、読影センター６において、クライアントパソコン４から送信された画像データの格納を行うＤＩＣＯＭサーバ１０と、当該画像データの表示を行う読影用ワークステーション１２等からなる「ＤＩＣＯＭ画像系システム」と、クライアントパソコン４から送信された読影依頼データ、口述音声ファイル、報告書データ等の各種データの格納を行う業務用サーバ１１と、読影の口述音声記録等を行う業務用パソコン１５と、報告書作成を行う報告書作成用パソコン１８及び音声再生用パソコン１９からなる「業務系システム」を明確に分離したため、上記ＤＩＣＯＭ画像系システムは既存の標準的なアプリケーション（ＤＩＣＯＭサーバにおけるアプリケーション（図６）、読影用ワークステーションにおけるＤＩＣＯＭビュアープログラム２６（図１０、図１４）、画像貼付アプリケーション２７（図１０，図１５））をそのまま使用することができ、極めて汎用性の高い医療画像読影システムを構築することができる。
【００６１】
また、上述のように読影センターにおいて「ＤＩＣＯＭ画像系システム」と「業務系システム」を明確に分離したため、上記「ＤＩＣＯＭ画像系システム」に対して行われる、クライアントパソコン４から画像データの送信と、上記「業務系システム」に対して行われる、クライアントパソコン４からの読影依頼データの送信とを、別個独立に実行可能に構成することができ、クライアントパソコン４から読影センター６への画像データ又は読影依頼データの送信を極めて効率的に行うことができる。
【００６２】
また、ＤＩＣＯＭサーバ１０と、業務用サーバ１１とを設け、各サーバの機能を明確に分離したため、１つのサーバにより画像系システムと業務系システムの両方の機能を併せ持つ場合と比較して、各サーバの負担を軽くすることができ、より多機能かつ高速な医療画像読影システムを実現することができる。
【００６３】
また、読影依頼データにＤＩＣＯＭ画像データに含まれる「Ｓｔｕｄｙ  Ｉｎｓｔａｎｃｅ  ＵＩＤ」タグを付与し、読影センター６では当該「Ｓｔｕｄｙ  Ｉｎｓｔａｎｃｅ  ＵＩＤ」タグにより、画像データと読影依頼データの関連付けを行うように構成したものであるから、上述のように「ＤＩＣＯＭ画像系システム」と「業務系システム」を分離しても、画像データと読影依頼データを容易に対応させることができ、情報量の多い画像データと読影依頼データとを分離して効率的な読影システムを構築することができる。
【００６４】
また、読影用ワークステーション１２と業務用パソコン１５等から構成される読影系システム（読影ブースＢ）が、ハブ１４，１６、９を介してＤＩＣＯＭサーバ１０及び業務用サーバ１１に接続される構成であるため、当該読影系システムのみを遠隔地に配置してサテライト読影ブースとして構成することができ、例えば当該読影系システムを複数設け、これらの読影系システムを遠隔地にサテライト読影ブースとして配置して上記読影センターとネットワークを介して接続する等の、当該読影システムの拡張を容易に行うことができる。
【００６５】
また、報告書用パソコン１８と音声再生用パソコン１９からなる報告書作成系システムがハブ２０、９を介して業務用サーバ１１に接続される構成であるため、当該報告書作成系システムのみを当該センターとは別の場所に設置して、サテライト報告書作成ブースとして構成することができ、例えば当該報告書作成系システムを別の場所に複数設けることにより、複数のオペレータにより効率的に報告書の作成作業を行うことができる。
【００６６】
また、音声入力装置１７によりいわゆる口述記録方式で読影結果を入力することができるため、読影医師の負担が軽減され、効率的な読影作業を行うことができる。
【００６７】
また、報告書の作成は専用のパソコン（１８，１９）により音声再生装置２１を使用して専用オペレータによる作業が行われるため、読影医師の負担を軽減して、効率的に報告書の作成作業を行うことができる。
【００６８】
また、契約病院１から読影依頼指示書をイメージデータとして読影センター６に送信し得るように構成したので、読影に必要な情報をイラスト等を用いて適切に指示することができる。
【００６９】
次に本発明の第２の実施形態について説明する。図２２は本発明の第２の実施形態の全体構成を示すものであり、同図中の読影センター６（例えば、福岡県に設置されているものとする）と契約病院１（例えば、福岡県内の病院とする）は図１の構成と基本的には同様であり、該読影センター６と契約病院１は上記ネットワークＮで接続されている。また、上記センター６の読影ブースＢと同様の構成を有するサテライト読影ブースＢ１，Ｂ２，Ｂ３・・・を上記読影センター６のルータ７に専用線Ｌ１（例えば１２８Ｋｂｐｓ）で接続する。これらのサテライト読影ブースＢ１，・・・は福岡県以外の地域に設置されるものであり、例えばサテライト読影ブースＢ１は佐賀県、同ブースＢ２は長崎県、同ブースＢ３は鹿児島県に設置されているものとする。尚、サテライト読影ブースＢ１，・・・の設置数、設置場所は限定されず、さらに複数のサテライト読影ブースを各地に設けることができる。
【００７０】
１ａ，１ｂ，１ｃ，・・・は上記契約病院１と同様の構成を有する検査施設としての各地の契約病院であり、上記ネットワークＮを介して上記読影センター６のルータ７に接続されている。これらの契約病院１ａ，１ｂ，・・・は福岡県内、及び福岡県以外の地域の検査施設としての複数の契約病院であり、上記契約病院１ａは佐賀県、同病院１ｂは長崎県、同病院１ｃは大分県内の各病院とする。尚、これら各契約病院１ａ，・・・の設置数、設置場所は限定されず、各地の病院と契約して設置することができる。
【００７１】
上記読影センター６にはインターネット端末としてのウェブサーバ３０（メイルサーバ機能等を含む）を設け、ハブ３１を介してファイアーウォールとしてのゲートウェイ３２に接続し、かつ該ゲートウエイ３２を上記業務用サーバ１１にハブ９を介して接続することで上記ウェブサーバ３０と上記業務用サーバ１１を接続する。そして上記ウェブサーバ３０をルータ３３を介してインターネット３４に専用線Ｌ２で接続する。
【００７２】
一方、上記契約病院１にはウェブブラウザを備えたパソコン３５，・・・を設け、これらのパソコン３５，・・・をルータ３６を介してインターネット３４に接続する。尚、上記他の契約病院１ａ，１ｂ，１ｃ・・・にも上記パソコン３５及びルータ３６と同様のインターネット端末システムが設けられており、各地の契約病院１ａ，１ｂ，１ｃ・・・も各々のルータ３６により、インターネット３４に同様に接続されているものである。尚、上記各契約病院１，１ａ，・・・等のパソコン３５と上記読影センター６のウェブサーバ３０を専用線Ｌ２により接続することもできる。
【００７３】
３７，・・・は検査依頼元の複数の病院であり、各々ウェブブラウザを具備したパソコン３８を有しており、モデム或いはＴＡ３９を介してインターネット３４に接続されている。
【００７４】
上記サテライト読影ブースＢ１は図２４に示すように上記読影センター６の読影ブースＢの読影ワークステーション１２，１３と同様の構成の読影ワークステーション１２’及び１３’、上記読影ブース６の業務用パソコン１５と同様の構成の業務用パソコン１５’を具備しており、上記ワークステーション１２’、１３’はハブ１４’、９’を介してルータ４０に接続され、上記業務用パソコン１５’はハブ１６’、９’を介して上記ルータ４０に接続されており、上記ルータ４０を上記専用線Ｌ１に接続することで、各サテライト読影ブースＢ１、Ｂ２等は上記読影センター６に接続されているものである。また、上記読影ワークステーション１２’、１３’にはハードディスクドライブ１２ｂ'、１３ｂ'が設けられている。尚、上記サテライト読影ブースＢ２，Ｂ３，…も同様の構成を有している。これらのサテライト読影ブースＢ１等は、各地域の病院又は独自施設として設けられるものであるが、当該読影ブースＢ１等を個人病院或は医師の自宅に設置して、ＳＯＨＯ読影ブースＢ１’（図２３参照）とすることもできる。この場合、ＳＯＨＯ読影ブースＢ１’は、ＤＩＣＯＭビュアープログラム２６、画像貼付アプリケーション２７、業務システムアプリケーション２４を１台のワークステーションに設けて単一のコンピュータとして構成することもできる。このＳＯＨＯ読影ブースＢ１’と読影センター６との接続は、ＩＳＤＮ等のネットワークＮを介して行うことが好ましい（図２２参照）。このように構成すると、例えば専門医の自宅等に直接読影依頼をすることもできる。
【００７５】
上述のように構成することにより、各地の契約病院（例えば１ｂ（長崎）等）から読影センター６に、上記第１の実施形態と同様の方法により読影依頼データ、及び画像データを送信して、複数の契約病院から読影センター６に読影依頼を行うことができる。この場合においても、各読影依頼データ及び画像データには独自のＳｔｕｄｙ  Ｉｎｓｔａｎｃｅ  ＵＩＤが付与されており、読影センター６では当該ＵＩＤにより、どの契約病院からの読影依頼であるかを認識することができる。
【００７６】
また、各地のサテライト読影ブースＢ１等においては、検査部位や検査目的によって当該ブースの存在する地域の放射線科専門医が読影を担当する。即ち、読影センター６には複数の地域の契約病院１ａ，１ｂ等からの読影依頼が送信されることになるが、図２３に示すように、当該センター６の業務用サーバ１１内の記憶装置に「医師ごとの読影手配リスト」を記憶しておき、各地域の契約病院から読影依頼があったとき、業務用パソコン１５又は業務用サーバ１１で検査部位や検査目的によって当該業務用サーバ１１内の上記手配リストを検索して最適の医師を選択し、業務用パソコン１５から業務用サーバ１１を介して当該医師の所属するサテライト読影ブースＢ１等に読影手配を行うように構成する。例えば、検査目的等から判断して鹿児島のサテライト読影ブースＢ３に読影手配を行う場合は、業務用サーバ１１から読影依頼データを読影センター６のＦＴＰサーバ８を介して当該ブースＢ３に転送する。当該読影依頼データはルータ７及び専用線Ｌ１を介して鹿児島の読影ブースＢ３に転送され、当該ブースＢ３のルータ４０、ハブ９’、１６’を介して当該ブースＢ３の業務用パソコン１５’に記憶される（図２３参照）。尚、サテライト読影ブースＢ３の業務用パソコン１５’において読影センター６の業務用サーバ１１内の読影依頼データを閲覧可能であるため、上記読影依頼データをサテライト読影ブースＢ３に送信せずに、該ブースＢ３に読影依頼があった旨を電子メールその他の連絡手段で通知するだけでも良い。
【００７７】
また、読影依頼データの上記送信に先立って、上記センター６の業務用パソコン１５からＤＩＣＯＭサーバ１０に対して、上記読影依頼データに対応するＤＩＣＯＭ画像データ（読影用ＤＩＣＯＭ画像＋ＤＩＣＯＭ−ＤＩＲ（ＤＩＣＯＭ画像のインデックスファイル））を上記読影ブースＢ３に転送するように指令する。このとき当該ＤＩＣＯＭ画像データの特定は上述と同様にＳｔｕｄｙ  Ｉｎｓｔａｎｃｅ  ＵＩＤにより行う。また、当該画像データとして、比較用のＤＩＣＯＭ過去画像がある場合は、当該比較用画像も事前転送する（図２３参照）。
【００７８】
上記転送指令がなされると、上記ＤＩＣＯＭサーバ１０はデータベース１０ａから当該ＵＩＤで特定されるＤＩＣＯＭ画像データ、比較用画像データを抽出してＦＴＰサーバ８に送信し、当該データはＦＴＰサーバ８を介して上記サテライト読影ブースＢ３に転送される。これらの画像データは上記ルータ７、専用線Ｌ１を介して上記読影ブースＢ３のルータ４０に入力し、ハブ９’、１４’を介して読影ワークステーション１２’の記憶装置（ＨＤＤ）１２ａ’又は１３ａ’内に記憶される。その後は、当該ブースＢ３の専門医が上記第１の実施形態と同様の手順で業務用パソコン１５’を操作して読影ワークステーション１２’、１３’に上記ＤＩＣＯＭ画像を表示して読影を行う。読影医師は上記読影ワークステーション１２’、１３’のディスプレイに表示される画像を見ながら業務用パソコン１５'のキーボードより読影所見をキー入力する。尚、上記第１の実施形態に示すように音声入力装置により音声入力しても良い。
【００７９】
医師の入力した読影所見報告書は当該業務用パソコン１５’に記憶されると共に、当該業務用パソコン１５’にて送信操作を行うことで、読影センター６に送信することができる。当該報告書は、読影ブースＢ３の業務用パソコン１５’から当該ブースＢ３のルータ４０を介して読影センター６に送信され、当該報告書は該センター６のＦＴＰサーバ８により業務用サーバ１１内に記憶される。その後は、図８に示す手順により読影依頼のあった契約病院（例えば１ｂ）に報告書が送信される。尚、上記サテライト読影ブースＢ３において、センター６の業務用サーバ１１内の各種データ（読影依頼データ、読影依頼指示書のイメージデータ、読影手配リスト等）の検索、参照やキー画像の業務用サーバ１１内への登録も専用線Ｌ１を介して行うことができ、上述のように上記ブースＢ３の業務用パソコン１５’において図１９（ｂ）に示すように読影センター６内の読影依頼データ、読影依頼指示書等を閲覧することができる（図２３参照）。尚、図２３中の業務用パソコン１５’から読影ワークステーション１２’へのラインにおいて「比較用ＤＩＣＯＭ画像参照」は、業務用アプリケーション２４における比較用画像の表示指令操作に基づく上記ワークステーション１２’への当該比較用画像の表示指令を示す（図１２Ｓ１３、Ｓ１４）。
【００８０】
上述のような読影依頼は、図２５に示すように、通常は各地域の検査依頼元病院３７が、同地域にある契約病院（例えば長崎県の契約病院１ｂ）に検査依頼を行い、当該検査依頼に基づいて当該契約病院１ｂが検査を行い、その検査結果としてのＤＩＣＯＭ画像データを契約病院１ｂからネットワークＮを介して読影センター６に送信して読影依頼を行うことになる。この読影依頼に基づく読影結果報告書は、当該センター６からネットワークＮを介して上記契約病院１ｂに送信され、当該契約病院１ｂから上記検査依頼元病院３７に郵送、ＦＡＸ等で送られることになるが、当該検査依頼元病院３７から当該報告書をインターネット３４を介して閲覧できるように構成することもできる（図２５参照）。
【００８１】
即ち、読影センター６では業務用サーバ１１に格納されている読影所見報告書データをゲートウェイ３２を介してウェブサーバ３０に予め格納しておく。検査依頼元病院３７では当該病院内のパソコン３８のウェブブラウザソフトにより、インターネット３４を介して上記センター６のウェブサーバ３０内の上記読影所見報告書を閲覧できるように構成する。このようにすると、上述のように契約病院から報告書の郵送を受けることなく、迅速に読影所見報告書を確認することができる。上記閲覧に際しては、専用ＩＤやパスワード等の周知のセキュリティ技術を使用して特定の検査依頼元病院からのみ閲覧可能とすることが好ましい。また、契約病院１ｂ等においてもパソコン３５のウェブブラウザソフトによりインターネット或いは専用線Ｌ２を介して上記センター６のウェブサーバ３０内の読影所見報告書を確認できるように構成する(図２５)。尚、上記読影センター６のウェブサーバ３０に業務用データベース１１ａ内のキー画像等の各種データを転送しておき、上記検査依頼元病院３７において上記報告書に限らず、インターネット３４を介して読影センター６のウェブサーバ３０内の各種データ（例えば、キー画像等）のダウンロードを可能とすることが好ましい。さらに上記契約病院１ｂ等においても、同様に上記センター６のウェブサーバ３０内の各種データ（報告書、キー画像等）を専用線Ｌ２等を介してダウンロード可能に構成することが好ましい。尚、上記センター６から依頼元病院３７等、契約病院１ｂ等に各種報告書、データ等の閲覧準備ができたことを電子メール等で通知するように構成することが好ましい。
【００８２】
上述のように本発明によれば、例えば九州全域に複数のサテライト読影ブースを設け、さらに九州各県の検査施設（契約病院１ａ等）と読影センター６とをネットワークで接続することにより、例えば九州全域に亙る地域医療読影ネットワークを実現することができる。この場合、サテライト読影ブースは、基本的に読影ワークステーション１２（及び／又は１３）及び業務用パソコン１５のみによる簡易な構成により実現することが可能であるため、容易に地域医療読影ネットワークを構築することができる。
【００８３】
また、このように地域ネットワークを構築することにより、検査部位や検査目的によって、各々のサテライト読影ブースに所属する最適の放射線科専門医により連携をとりながら読影を行うことができ、最適な読影医による適切な読影を行うことができる。
【００８４】
また、検査依頼元病院においてもインターネットを介して読影報告書を閲覧することができ、極めて効率的な読影システムを実現することが可能である。
【００８５】
【発明の効果】
以上のように、本発明によれば、読影センターにおいて画像系システムと、業務系システムを分離したため、上記画像系システムは例えばＤＩＣＯＭ規格のような既存のアプリケーションを使用することができ、汎用性の高い医療画像読影システムを構築することができる。
【００８６】
また、読影センターにおいて「画像系システム」と「業務系システム」を分離したため、クライアントパソコンから画像データの送信と、クライアントパソコンからの読影依頼データの送信とを、各別に実行可能に構成することができ、クライアントパソコンから読影センターへの画像データ又は読影依頼データの送信を効率的に行うことができる。
【００８７】
また、画像データ識別タグにより、画像データと読影依頼データの関連付けを行うように構成したので、「画像系システム」と「業務系システム」を分離しても、画像データと読影依頼データを容易に対応させることができ、効率的な読影システムを構築することができる。
【００８８】
また、口述記録方式で読影結果を入力することができるため、読影医師の負担を軽減し、効率的な読影作業を行うことができる。
【００８９】
また、報告書の作成は音声再生装置を使用して例えば専用オペレータによる作業が可能であるため、読影医師の負担を軽減して、報告書の作成を効率的に行うことができる。
【００９０】
また、各地域に複数のサテライト読影ブースを設けることにより、例えば九州全域に亙る地域医療読影ネットワークを容易に構築することができる。
【図面の簡単な説明】
【図１】本発明に係る医療画像読影システムの全体構成を示すブロック図である。
【図２】同上システムにおける、クライアントパソコン、ＤＩＣＯＭサーバ、及び業務用サーバ間のデータの流れを説明するためのブロック図である。
【図３】クライアントパソコンにおけるＤＩＣＯＭ受信アプリケーションの動作手順を示すフローチャートである。
【図４】クライアントパソコンにおけるＤＩＣＯＭタグ解析アプリケーションの動作手順を示すフローチャートである。
【図５】読影依頼データのデータ内容を示す図である。
【図６】ＤＩＣＯＭサーバの動作手順を示すフローチャートである。
【図７】業務用サーバの動作手順を示すフローチャートである。
【図８】業務用サーバの動作手順を示すフローチャートである。
【図９】業務用データベースに格納されるデータの内容を示す図である。
【図１０】業務用パソコン、読影用ワークステーション、業務用サーバ間のデータの流れを説明するためのブロック図である。
【図１１】業務用パソコン、読影用ワークステーション、報告書作成用パソコン、音声再生用パソコン、業務用サーバ間のデータの流れを説明するためのブロック図である。
【図１２】業務用パソコンの業務システムアプリケーションの動作手順を示すフローチャートである。
【図１３】業務用パソコンの音声入力アプリケーションの動作手順を示すフローチャートである。
【図１４】読影用ワークステーションにおけるＤＩＣＯＭビューアプログラムの動作手順を示すフローチャートである。
【図１５】読影用ワークステーションにおける画像貼付アプリケーションの動作手順を示すフローチャートである。
【図１６】報告書作成用パソコンの動作手順を示すフローチャートである。
【図１７】音声再生用パソコンの動作手順を示すフローチャートである。
【図１８】「Ｓｔｕｄｙ  Ｉｎｓｔａｎｃｅ  ＵＩＤ」の構成を示す図である。
【図１９】（ａ）は読影ワークステーションに読影画像が表示された状態を示す図、（ｂ）は業務用パソコンに読影依頼データ等が表示された状態を示す図である。
【図２０】ＤＩＣＯＭデータベースに格納される画像データと業務用データベースに格納される各種データとの対応関係を示す図である。
【図２１】ＤＩＣＯＭサーバと業務用サーバの機能を示す機能ブロック図である。
【図２２】サテライト読影ブースを設けた本発明の医療画像読影システムの全体構成を示すブロック図である。
【図２３】読影センターとサテライト読影ブース間のデータの流れを説明するためのブロック図である。
【図２４】サテライト読影ブースの構成を示すブロック図である。
【図２５】読影センター、契約病院、検査依頼元病院間の主にインターネット経由のデータの流れを説明するためのブロック図である。
【符号の説明】
２    医療機器
４    クライアントパソコン
Ｎ    ネットワーク
１０  ＤＩＣＯＭサーバ
１１  業務用サーバ
１２、１３  読影用ワークステーション
１５  業務用パソコン
１７  音声入力装置
１８  報告書作成用パソコン
１９  音声再生用パソコン
２１  音声再生装置
【図１】
0003732747.tif 000002
【図２】
0003732747.tif 000003
【図３】
0003732747.tif 000004
【図４】
0003732747.tif 000005
【図５】
0003732747.tif 000006
【図６】
0003732747.tif 000007
【図７】
0003732747.tif 000008
【図８】
0003732747.tif 000009
【図９】
0003732747.tif 000010
【図１０】
0003732747.tif 000011
【図１１】
0003732747.tif 000012
【図１２】
0003732747.tif 000013
【図１３】
0003732747.tif 000014
【図１４】
0003732747.tif 000015
【図１５】
0003732747.tif 000016
【図１６】
0003732747.tif 000017
【図１７】
0003732747.tif 000018
【図１８】
0003732747.tif 000019
【図１９】
0003732747.tif 000020
【図２０】
0003732747.tif 000021
【図２１】
0003732747.tif 000022
【図２２】
0003732747.tif 000023
【図２３】
0003732747.tif 000024
【図２４】
0003732747.tif 000025
【図２５】
0003732747.tif 000026